(57)【特許請求の範囲】
【請求項１】
一方の電極が一方の端面に、他方の電極が前記一方の端面に近接した周面にあり、前記周面の全周に周溝が形成された棒状の電池に用いられ、プリント基板に固定した第１及び第２端子をそれぞれ前記一方及び他方の電極に接触させるとともに電池の保持を行う電池用端子において、
前記第２端子は、プリント基板に固定された支持部と、この支持部に一体に連設され電池の周面を三方から囲むように弾性変形自在に折曲げられた折曲片と、この折曲片の対向し合う片からそれぞれ電池の周面に向かって起立され、前記周溝に入り込む一対の接触片とを有し、電池の装填状態では前記一対の接触片が折曲片の弾性によって周溝内で電池を狭圧して保持することを特徴とする電池用端子の構造。
【請求項２】
折曲片の前記対向し合う片の相互間にある連結部分は、電池に向かって凸状に湾曲していることを特徴とする請求項１記載の電池用端子の構造。
【請求項３】
前記接触片の各々の先端部分に、電池位置決め用の切り欠きを形成したことを特徴とする請求項１または２記載の電池用端子の構造。
【請求項４】
前記第１端子は、プリント基板に固定された支持部と、この支持部に弾性変形自在に連設され前記一方の電極に接触する端子本体とからなり、電池の装填状態では端子本体の弾性によって電池が軸方向に押圧されることを特徴とする請求項１ないし３のいずれか記載の電池用端子の構造。
【発明の詳細な説明】
【０００１】
【発明の属する技術分野】
本発明は、電池用端子の構造に関するものである。
【０００２】
【従来の技術】
電池を電源とするカメラ等では、電池の電圧を取り出すために、電池の正電極及び負電極に対応させて一対の電池用端子（接触片）が設けられており、これらを各電極に接触させて電気的な接続を行っている。また、一対の電池用端子で電池を狭持して電池が脱落しないようにする機能を持っている。
【０００３】
例えば、いつもでも手軽に写真撮影を楽しむことができるようにしたレンズ付きフイルムユニットが知られているが、このレンズ付きフイルムユニットには、電池を電源としたストロボ装置を内蔵したタイプのものもある。レンズ付きフイルムユニットは、簡単な撮影機構を組み込んだユニット本体に、あらかじめ未露光の写真フイルムを内蔵しており、購入後、すぐに写真撮影ができ、また撮影後にはそのまま現像所等に出せばよいという簡便性から、一般に広く利用されている。レンズ付きフイルムユニットは、安価に提供するために、その構造が非常に簡略化され、また組み込み作業を簡単にするために、撮影機構、ストロボ装置等はユニット化されている。
【０００４】
ストロボ装置では、プリント基板に取り付けた接触片と、プリント基板に取り付けられその側方に伸びた導電性のアームの端部に形成した接触片とで電源用の電池を長手方向に挟み込み、電気的な接続を行うとともに、電池を保持している。このため、従来のストロボ装置は、一方の接触片を設けたアームが電池の長さだけ長くなるから、その分だけレンズ付きフイルムユニット内に収納スペースを多く必要としたり、プリント基板から側方に突出したアーム及び接触片が引っ掛かりを生じることがないように取り扱いには十分な注意を払わなくてはならなかった。
【０００５】
このような問題を解決するために、実公平７−３５３０２号公報や特開平７−２２０１５号公報に記載されたものが知られている。例えば、実公平７−３５３０２号公報に記載されたものでは、図６に示すように、マイナス接触片７０は、プリント基板７１に取り付けられ、棒状電池７２の一方の端面に配された負電極７２ａに接触する。一方、プラス接触片７３は、マイナス接触片７０に近接した位置でプリント基板７１に取り付けられ、電池７２の周面７２ｂで負電極７２ａの近傍に形成された周溝（くびれ）７２ｃに接触する。一般的に電池の周面は、正電極と等電位な金属ケースの表面を絶縁材料で被覆したものであるが、周面全体または周溝７２ｃだけの被覆を省略あるいは剥離しておくことにより、正電極として利用することできる。
【０００６】
プラス接触片７３は、板状の導電部材を周溝７２ｃよりも僅かに大きな径で円弧状に切り欠いて形成した一対の挟み部７３ａと、各挟み部７３ａの先端に形成された脱落防止のための係止爪７３ｂと、挟み部７３ａの間に形成された接触爪７３ｃとからなっている。挟み部７３ａを外側（図中矢線方向）に弾性変形しながら、挟み部７３ａの間に電池７２をセットすると、挟み部７３ａは、その弾性復元力で各爪７３ｂ，７３ｃを周溝７２ｃに接触させて狭持する。これにより、周溝７３ｃとプラス接触片７３とが電気的に接続されるとともに、プラス接触片７３で電池７２が保持される。このような構成とすることにより、各接触片７０，７３の間隔を狭くすることができるから、収納スペースを少なくし、また取り扱いが容易となる。なお、特開平７−２２０１５号公報に記載されたものについても同様である。
【０００７】
【発明が解決しようとする課題】
ところで、電池の周溝は、電池の構造から製造時に副次的に形成されるものであるため、電池の製造メーカあるいは電池の種類が異なると、周溝の径が異なる。しかし、上記のような接触片は、挟み部をその板面に沿った方向に弾性変形させ、その弾性復元力を利用して周溝に接触させる構造となっているため、弾性変形可能な変形量は極めて小さい。このため、例えば、大きな外径の周溝の電池を装着した場合には、挟み部が弾性変形の許容範囲を越え、根元部分から破損してしまったり、破損まで至らなくても、変形が戻らなくなり接触不良になってしまう。逆に周溝の径が小さい場合には、挟み部で周溝を挟み込む力が弱くなったり、周溝に接触しない等の不都合を生じる。
【０００８】
したがって、特定の電池の周溝の径に合わせて製造された接触片は、他の周溝の径の異なる電池には利用できないといった問題がある。また、電池が特定の製造メーカのものに限定されたり、同じ製造メーカであっても電池の同一種類のものに限定される問題があった。
【０００９】
また、例えばレンズ付きフイルムユニットでは、ストロボ装置をリサイクル利用する際には新しい電池に交換するが、このリサイクル時に、最初の製造時と同じ径の周溝を有した電池が用意できない場合には、そのストロボ装置をそのまま再利用できない。さらに、リサイクルによって、電池の装脱を繰り返し行うことで挟み部の変形が戻らなくなったり、製造後に長期間が経過してクリープが発生したりすることで、弾性復元力が十分に得られなくなるといった問題もある。
【００１０】
本発明は上記問題点を解消するためになされたものであり、周溝の径が異なる電池に対応することが可能であって、また電池の装脱を繰り返し行ったり、製造から長期間が経過しても十分な接触力が得られる電池用端子の構造を提供することを目的とする。
【００１１】
【課題を解決するための手段】
上記目的を達成するために、請求項１記載の発明では、一方の電極が一方の端面に、他方の電極が前記一方の端面に近接した周面にあり、前記周面の全周に周溝が形成された棒状の電池に用いられ、一方及び他方の電極に接触させるプリント基板に固定した第１及び第２端子のうちの第２端子は、プリント基板に固定された支持部と、この支持部に一体に連設され電池の周面を三方から囲むように弾性変形自在に折曲げられた折曲片と、この折曲片の対向し合う片からそれぞれ電池の周面に向かって起立され、前記周溝に入り込む一対の接触片とを有し、電池の装填状態では前記一対の接触片が折曲片の弾性によって周溝内で電池を狭圧して保持するものである。
【００１２】
請求項２記載の発明では、折曲片の対向し合う片の相互間にある連結部分は、電池に向かって凸状に湾曲したものであり、請求項３記載の発明では、接触片の各々の先端部分に、電池位置決め用の切り欠きを形成したものである。さらに、請求項４記載の発明では、第１端子は、プリント基板に固定された支持部と、この支持部に弾性変形自在に連接され電池の一方の電極に接触する端子本体とからなり、電池の装填状態では端子本体の弾性によって電池が軸方向に押圧するようにしたものである。
【００１３】
【発明の実施の形態】
レンズ付きフイルムユニットに搭載されるストロボ装置を図２に示す。ストロボ装置１０は、１枚のプリント基板１１に充放電とこの制御を行うためのストロボ回路を実装してユニット化したものである。プリント基板１１には、ストロボ放電管や拡散板等から構成され、ストロボ光を前方に放出するストロボ発光部１２と、ストロボ発光用の電荷を蓄積するメインコンデンサ１３と、電源用の電池１４に接触して電源電圧を取り出すための負極側端子１５及び正極側端子１６と、電池１４の給電で作動する充電放電回路の各種部品等とが取り付けられている。
【００１４】
また、プリント基板１１の表面には、１対のプリント接点１７が設けられている。これらのプリント接点１７がプリント基板１１の前面に配された金属接片１８によって短絡されることにより、充電回路が作動してメインコンデンサ１３への充電が行われる。１対のシンクロ接片１９は、シャッタ羽根に連動して接触される。シンクロ接片１９が接触すると、放電回路が作動し、メインコンデンサ１３の電荷がストロボ放電管内で放電してストロボ発光する。
【００１５】
電池１４としては、棒状の単三乾電池が用いられ、各端面には負（−）電極１４ａ及び正（＋）電極１４ｂが設けられている。電池１４の周面は、正電極１４ｂと等電位にされた導電性の金属ケースとなっており、この周面の負電極１４ａに近接する位置には、円周方向に沿って形成された凹状の周溝１４ｃが形成されている。金属ケースは、絶縁材料で被覆されているが、周溝１４ｃの部分については、被覆を円周方向に取り除いて金属ケースを露呈させることにより、正電極として用いられる。もちろん、周面全体に被覆がない電池をもちいてもよい。
【００１６】
負極側端子１５は、プリント基板１１の下部右側に取り付けられ、電池１４の負電極１４ａと接触して電気的に接続される。また、正極側端子１６は、プリント基板１１の下部で負極側端子１５の左側近傍に取り付けられ、周溝１４ｃを挟み込んで電池１４の正電極と電気的に接続される。さらに、正極側端子１６は、装填された電池１４を位置決めして保持する機能を持つ。
【００１７】
図１において、負極側端子１５及び正極側端子１６は、それぞれ弾性を有する導電性材料をプレス加工等で成形している。負極側端子１５は、端子本体２０と支持部２１とからなり、端子本体２０は、支持片２１と一体に形成された板状になっている。端子本体２０の中央部には、三角形状をした２つの接触片２０ａが成されている。これらの各接触片２０ａは、それぞれ根元部分で曲げ起こされ、その先端が電池１４の負電極１４ａと接触する。端子本体２０は、弾性変形可能にされており、電池１４の装填時には、正極側端子１６から離れる方向に弾性変形し、この変形による弾性力で各接触片２０ａを負電極１４ａに強く押し当て、電気的な接続を確実なものとしている。
【００１８】
支持部２１には、固定爪２１ａ，２１ｂが形成されており、これらの固定爪２１ａ，２１ｂをプリント基板１１の裏面側から孔１１ａ，１１ｂに嵌め込むことにより、負極側端子１５がプリント基板１１の面に対して垂直に取り付けられる。また、一方の固定爪２１ａを孔１１ａの周囲に形成されたプリントパターン２２にハンダ付けすることによって、負極側端子１５がプリント基板１１に固定されるとともに、ストロボ回路に電気的に接続される。
【００１９】
正極側端子１６は、一体に形成された端子本体２４と支持部２５とから構成されており、端子本体２４は、折曲片としての湾曲板バネ２６と、この湾曲板バネ２６に設けられた接触片２７とからなる。湾曲板バネ２６は、電池１４の周面を３方向から囲むように板部材を折り曲げたものであって、対向する１対の腕部（片）２６ｂを湾曲した湾曲部２６ａで連結した形状になっている。湾曲板バネ２６の両端の各腕部２６ｂは、それぞれ平板状にされており、根元部分から端子本体２４の内側（図中矢線方向）に傾けられている。また、湾曲部２６ａは、適当な曲率で端子本体１６ａの内側（装填される電池１４側）に向かって凸状に湾曲されており、湾曲板バネ２６は略Ｗ字状になっている。この湾曲板バネ２６の形状により、各腕部２６ｂが端子本体２４の外側に向けて押し広げられた際には、各腕部２６ｂを内側に傾いた元の位置に戻す強い弾性復元力（付勢力）を発生させる構造となっている。
【００２０】
各腕部２６ｂの負極側端子１５側の１辺に接触片２７がそれぞれ形成されている。各接触片２７は、腕部２６ｂに一体に形成された板部材を腕部２６ｂに対して直角に折り曲げて、その先端が端子本体１５ａの内側（電池１４の周面）に向いている。これらの接触片２７の先端部２７ａは、電池１４の周溝１４ｃを挟み込んで、これと電気的に接続するとともに、電池１４を位置決めして保持するために凹状に切り欠かれている。なお、この実施形態では、先端部２７ａを略Ｖ字状に切り欠いているが、円弧状に切り欠いてもよい。
【００２１】
電池１４の装填時には、各接触片２７は、図１中で上部が周溝１４ｃと当接し押圧され、湾曲板バネ２６の付勢力に抗して端子本体２４の外側に向かって押し広げられる。これにより、各先端部２７ａの間に周溝１４ｃが入り込むことが許容される。同時に、各腕部２６ｂも外側に押し広げられるので、これらの腕部２６ｂの間に電池１４が入り込むことが許容される。
【００２２】
電池１４の装填後では、湾曲板バネ２６の付勢力によって、一対の接触片２７が周溝１４ｃを挟み込み、周溝１４ｃと接触して電気的に接続されるとともに、電池１４を位置決めして保持する。なお、接触片２７を腕部２６ｂから折り曲げることにより、腕部２６ｂの剛性が高められ、湾曲部２６ａによる付勢力が効率的に接触片２７に伝達され、接触片２７と周溝１４ｃとの接触圧を強いものとすることができる。さらに、接触片２７は、線状に周溝１４ｃと接触するため、付勢力が分散しないので接触圧をより大きなものとすることができる。
【００２３】
このような端子本体２４の構造により、無理な力が加わることく各腕部２６ｂ、すなわち各接触片２７の間隔を広くしたり、狭くしたりすることができるので、周溝１４ｃの径が異なる各種の電池１４が装填可能となっている。また、腕部２６ｂの弾性変形を繰り返し行ったり、長期間が経過したとしても、湾曲板バネ２６による付勢力、すなわち周溝１４ｃを挟み込む各接触片２７の接触力が低下することがない。
【００２４】
支持部２５は、一方の腕部２６ｂの端部からコ字状に折り曲げられており、固定爪２８，２９が形成されている。各固定爪２８，２９をプリント基板１１の表面側から、プリント基板１１の孔３０、３１にそれぞれ挿入することで、プリント基板１１に正極側端子１６が取り付けられる。この取り付けでは、接触片２７が負極側端子１５の端子本体２０とほぼ平行に対峙し、また湾曲部２６ａの内面がストロボ装置１０の前方に向けて取り付けられる。また、固定爪２８を孔３０の周囲に形成されたプリントパターン３２にハンダ付けすることによって、正極側端子１６がプリント基板１１に固定されるとともに、ストロボ回路と電気的に接続される。
【００２５】
上記ストロボ装置１０を内蔵したレンズ付きフイルムユニットを図３に示す。レンズ付きフイルムユニット３５は、簡単な撮影機構を備えたユニット本体３６に写真フイルムを内蔵しており、このユニット本体３６は外装紙３７が巻かれている。外装紙３７は、撮影レンズ３８，ファインダ３９，撮影可能枚数表示窓４０等を露呈する開口が設けられ、また巻上げノブ４１，ストロボ発光部１２，シャッタボタン４３，操作ボタン４４等を露呈して巻かれているので、外装紙３７をユニット本体３６に巻き付けたままで撮影操作を行うことができるようになっている。撮影レンズ３８の右側に設けられた操作ボタン４４を押圧することにより、ストロボ装置１０の金属接片１８がプリント接点１７を短絡し、メインコンデンサ１３への充電が行われる。
【００２６】
図４に示すように、ユニット本体３６は、ストロボ装置１０の他に、本体基部５０，前カバー５１，後カバー５２，露光ユニット５３等から構成されている。本体基部５０には、中央に露光枠５０ａが一体に形成されるとともに、その両側にフイルムカートリッジ５５のカートリッジ５５ａを収納するカートリッジ室５０ｂと、カートリッジ５５ａから引き出してロール状にされた未露光の写真フイルム５５ｂを収納するフイルム収納室５０ｃとが形成されている。露光枠５０ａの前面には、撮影レンズ３８，ファインダ３９，シャッタ機構，フイルムの１コマ送り機構等が組み付けられた露光ユニット５３が装着される。
【００２７】
後カバー５２は、カートリッジ５５ａ及び写真フイルム５５ｂを収納した本体基部５０の背面から装着される。カートリッジ室５５ｂ及びフイルム収納室５５ｃの底面は、この後カバー５２の下側に形成された底蓋５２ａ，５２ｂが折り曲げられて閉じられる。このようにして、本体基部５０の内部が光密に遮光される。
【００２８】
ストロボ装置１０のプリント基板１１は、その表面をユニット本体３６の前方に向けて、露光ユニット５３とフイルム収納室５０ｃとの間に装着される。電池１４は、その長手方向がユニット本体３６の底面と前面とに平行になるように露光ユニット５３の下側に寝かせられ、負極側端子１５に負電極１４ａを接触させるとともに、正極側端子１６の接触片２７に周溝１４ｃを挟み込んだ状態で装填される。正極側端子１６と負極側端子１５との間隔が狭いためストロボ装置の一方の端子を電池１４の長さ分だけ突出させる従来のストロボ装置にくらべて、ユニット本体３５内の負極側端子１５と正極側端子１６との収納スペースを少なくすることができる。
【００２９】
前カバー５１には、シャッタボタン４３や操作ボタン３６が設けられるとともに、ファインダ３９，ストロボ発光部１２等を露呈するための開口等が形成されている。前カバー５１は、本体基部５０に露光ユニット５３，後カバー５２，ストロボ装置１０等を組み付け、電池１４を装填した後に、本体基部５０の前面側から装着される。
【００３０】
次に上記構成の作用について説明する。ユニット本体５０への電池１４の装填は、本体基部５０に露光ユニット５３，ストロボ装置１０を組み付け、またカートリッジ５５ａ及び写真フイルム５５ｂをカートリッジ室５０ｂ，フイルム収納室５０ｃにそれぞれ装填し、後カバー５２を組み付けた後に行われる。
【００３１】
電池１４を装填する際には、負電極１４ａを負極側端子１５に向けた姿勢で、本体基部５０の前方から周溝１４ｃを各接触片２７に押し当てる。周溝１４ｃを各接触片２７に押し当てると、各接触片２７が湾曲板バネ２６の付勢力に抗して外側に押し広げられる。これにより、周溝１４ｃは、この間隔が広くなった一対の接触片２７の先端部２７ａの間に入り込む。また、各腕部２６ｂも外側に押し広げられて、その間隔が広くなって、これらの間に周溝１４ｃよりも正電極１４ｂ側の電池１４の部分が入り込む。なお、治具で腕部２６ｂ及び接触片２７を広げて電池１４を装填してもよい。
【００３２】
周溝１４ｃが各接触片２７の先端部２７ａの間に入り込むと、例えば図５（ａ）に示すように、湾曲板バネ２６の付勢力により、腕部２６ｂとともに各接触片２７が内側に倒れ込み、その先端部２７ａが周溝１４ｃを挟み込み、接触する。これにより、電池の周溝１４ｃ、すなわち正電極が正極側端子１６に接続された状態になるとともに、各接触片２７が周溝１４ｃ内に入り込んで電池１４が所定の装填位置に位置決めされて保持される。
【００３３】
ところで、電池１４は、その製造メーカや種類によって周溝１４ｃの径が異なるため、図５（ａ）に示す電池１４よりも周溝１４ｃの径が大きいことも、小さいこともある。しかし、湾曲板バネ２６の弾性により、端子本体１６ａを破損させることなく一対の接触片２７の間隔が広範囲に容易に変わるから、例えば図５（ｂ）に示すように、周溝１４ｃの径が大きい場合には、腕部２６ｂ及び接触片２７が図５（ａ）の場合よりも広がった状態で、周溝１４ｃが接触片２７で挟み込まれる。逆に周溝１４ｃの径が小さい場合には、図５（ｃ）に示すように、腕部２６ｂ及び接触片２７が図５（ａ）の場合よりも内側に倒れた状態で、周溝１４ｃが接触片２７で挟み込まれる。
【００３４】
そして、図５（ａ）ないし図５（ｃ）のいずれの場合においても、腕部２６ｂを電池１４の周面に接触させないようにしておけば、湾曲板バネ２６の付勢力により、各接触片２７は、強い力で周溝１４ｃを挟み込むから、接触片２７と周溝１４ｃとが確実に接触して電気的に接続される。また、装填位置がずれることなく電池１４が保持される。このように、周溝１４ｃの径が異なる各種の電池１４を用いることができるから、電池の供給元（製造メーカ）や電池の種類が限定されることがない。
【００３５】
なお、装填すると考えられる各種の電池１４のうちで周溝１４ｃの径が最小なものを装填した時に、腕部２６ｂが電池１４の周面と接触しないようにしておけば腕部２６ｂを電池１４の周面に接触させることなく、各接触片２７を周溝１４ｃに接触することができる。また、このようにしても、接触片２７が周溝１４ｃに接触しないで腕部２７が周面に接触してしまう電池１４を用いた場合には、腕部２６と接触する電池１４の周面の被覆を剥離しておくことで、電気的な接続を行うことができる。そして、この場合には、接触片２７が周溝１４ｃと接触しないが、周溝１４ｃ内には入り込むので、電池１４の位置決め及び保持を行うことができる。
【００３６】
他方、電池１４の負電極１４ａは、負極側端子１５の端子本体１５ａ（接触片２１）と当接し、これを負電極１４ａから離れる方向弾性変形させながら、所定位置まで押し込まれる。電池１４は、正極側端子１４によって保持されるので、負極側端子１５の弾性で軸方向に位置がずれることはない。これにより、負電極１４ａと接触片２１とは、負極側端子１５の弾性による復元力で接触した状態が維持される。
【００３７】
このようにして電池１４が装填された本体基部５０には、前カバー５１が装着され、検査後、外装紙３７を巻き付けて出荷，市販される。ユーザの手に渡り、撮影済となったレンズ付きフイルムユニット３５は、現像所等に渡される。現像所では、レンズ付きフイルムユニット３５のユニット本体３６からフイルムカートリッジ５５を取り出して現像処理を行う。フイルムカートリッジ５５が取り出されたユニット本体３６は、リサイクルのために製造メーカに回収される。
【００３８】
製造メーカに回収されたユニット本体３６は、分解されて一部のユニット、例えばストロボ装置１０や露光ユニット５３等は、検査を受けた後に、新たなユニット本体３６に組み込まれ、再利用される。ストロボ装置１０を再利用する際には、古い電池１４に代えて新し電池１４が装填される。この時に、古い電池１４と新し電池１４との周溝１４ｃの径が異なっていても、上述したように正極側端子１６にそのまま装填することができる。
【００３９】
また、このようなストロボ装置１０の再利用を繰り返し行ったり、ストロボ装置１０が製造後から長期間が経過したとしても、湾曲板バネ２６の付勢力がほとんど低下しない、すなわち接触片２７の周溝１４ｃに対する接触圧が大きい状態で維持されるから、電気的な接触不良を起こさないで利用することができる。
【００４０】
上記実施形態では、レンズ付きフイルムユニットのストロボ装置について説明したが、本発明はこれに限定されず、電源として電池を利用する各種の電気製品に利用することが可能である。
【００４１】
【発明の効果】
以上に述べたように、本発明によれば、一方の電極が一方の端面に、他方の電極が前記一方の端面に近接した周面にあり、この周面の全周に周溝が形成された棒状の電池に用いられ、一方及び他方の電極に接触させる第１及び第２端子のうちの第２端子をプリント基板に固定された支持部と、この支持部に一体に連設され電池の周面を三方から囲むように弾性変形自在に折曲げられた折曲片と、この折曲片の対向し合う片からそれぞれ電池の周面に向かって起立され、電池の周溝に入り込む一対の接触片とから構成し、折曲片の弾性によって一対の接触片を周溝内に入り込ませて狭圧して電池を保持するようにしたから、第２端子の収納スペースを少なくすることができるのはもちろんとして、周溝の径が異なる各種の電池を利用することができる。また、電池の装脱を繰り返し行ったり、第２端子が製造から長期間が経過しても周溝に対する接触片の接触圧がほとんど低下しないから、長期に渡って電気的な接続状態を良好に保つことができ、また繰り返し再利用することができる。
【図面の簡単な説明】
【図１】本発明の正極側端子を示す斜視図である。
【図２】本発明の正極側端子を備えたストロボ装置を示す斜視図である。
【図３】ストロボ装置を内蔵したレンズ付きフイルムユニットの外観図である。
【図４】レンズ付きフイルムユニットを分解して示す分解斜視図である。
【図５】正極側端子と電池の周溝の接触状態を示す説明図である。
【図６】従来の電池用端子を示す斜視図である。
【符号の説明】
１０  ストロボ装置
１１  プリント基板
１４  電池
１４ａ  負電極
１４ｃ  周溝
１５  負極側端子
１６  正極側端子
１６ａ  端子本体
２６  湾曲板バネ
２６ａ  湾曲部
２６ｂ  腕部
２７  接触片
２７ａ  先端部
【図１】
0003636837.tif 000002
【図２】
0003636837.tif 000003
【図３】
0003636837.tif 000004
【図４】
0003636837.tif 000005
【図５】
0003636837.tif 000006
【図６】
0003636837.tif 000007